(57)【要約】【課題】スロット式ＣＤ−ＲＷドライブ機構の提供。【解決手段】本体に内蔵されたトレイ装置、駆動装置、ＣＤ−ＲＷ装置、押え装置を含み、当該駆動装置が本体内部におけるトレイ装置の往復運動を駆動させ、トレイ装置はスロットを具備したトレイを含み、当該スロットにはホルダーが設けられ、本体の両側にはストッパー機能を有しており、ＣＤが本体の挿入口から挿入された後、トレイのスロットにあるホルダーで固定され、トレイは駆動装置によりＣＤ−ＲＷ装置の位置まで運ばれるが、後にＣＤはストッパー装置により前進を阻まれ、トレイは引き続き移動してＣＤを離れ、ＣＤは押え装置により押えられ回転駆動され、ＣＤ−ＲＷ装置がＣＤ読取り・書込み作業を行うスロット式ＣＤ−ＲＷドライブ機構。【選択図】図１
0003119984.tif 000002
【実用新案登録請求の範囲】
【請求項１】
本体上に設けられたトレイ装置、駆動装置、ＣＤ−ＲＷ装置、押え装置を含み、当該駆動装置が当該トレイ装置を駆動させ、当該本体のＣＤ挿入口方向まで往復移動させ、当該トレイ装置が当該本体内の定位置まで駆動された後、当該押え装置がトレイ装置上のＣＤ中心部を押えて固定し、ＣＤを回転させて、当該ＣＤ−ＲＷ装置により、読み取り・書込み作業を行うが、そのうち、当該トレイ装置にはトレイが具備され、当該トレイには既述の挿入口の方向における一端にスロットが設けられる。当該スロット内にはＣＤホルダーがあり、本体の側面にはＣＤが本体深部へと送られるのを留めるストッパー装置があり、当該トレイ装置が当該本体内において往復移動するに当たり、本体内部の範囲を超えないスロット式ＣＤ−ＲＷドライブ機構。
【請求項２】
請求項１のスロット式ＣＤ−ＲＷドライブ機構において、モーター、歯車セット、当該トレイと連接されたラックギア、本体内に設けられたセンサーを含み、当該センサーは当該モーターと電気的に接続されており、当該歯車セットは突出部のある従動歯車を持ち、当該従動歯車が当該ラックギアと噛合い、当該センサーが初めて既述の突出部を感知したとき、モーターを作動させて従動歯車を回転させ、ラックギア経由で当該トレイを移動させ、当該センサーが二回目に突出部を感知したときは、モーターを停止させるような駆動装置。
【請求項３】
請求項１のスロット式ＣＤ−ＲＷドライブ機構において、モーター、歯車セット、当該トレイと連接されたラックギア、本体内に設けられたセンサーを含み、当該センサーは当該モーターと電気的に接続されており、当該歯車セットは従動歯車を持ち、当該従動歯車が当該ラックギアと噛合い、当該トレイには二ヶ所に突出部を持ち、当該センサーが第一の突出部を感知したとき、モーターを作動させて従動歯車を回転させ、ラックギア経由で当該トレイを移動させる。当該センサーが第二の突出部を感知したとき、モーターを停止させるような駆動装置。
【請求項４】
請求項２のスロット式ＣＤ−ＲＷドライブ機構において、末端に突起を持つ当該ラックギアと、当該従動歯車上に第一ポストと第二ポストを持ち、当該従動歯車が回転しているがラックギアと噛合っていない時、当該第一ポストが当該突起を押して既述のトレイを定位置までプッシュインし、当該第二ポストが当該突起を押して既述のトレイを定位置から送り出す当該従動歯車。
【請求項５】
請求項３のスロット式ＣＤ−ＲＷドライブ機構において、末端に突起を持つ当該ラックギアと、当該従動歯車上に第一ポストと第二ポストを持ち、当該従動歯車が回転しているがラックギアと噛合っていない時、当該第一ポストが当該突起を押して、既述のトレイを定位置までプッシュインし、当該第二ポストが当該突起を押して、既述のトレイを定位置から送り出す当該従動歯車。
【請求項６】
請求項１のスロット式ＣＤ−ＲＷドライブ機構において、撓み性を持つラックギアと、本体内にあって当該撓み性ラックギアをガイドする湾曲ガイドレール。
【請求項７】
請求項４のスロット式ＣＤ−ＲＷドライブ機構において、撓み性を持つラックギアと、本体内にあって当該撓み性ラックギアをガイドする湾曲ガイドレール。
【請求項８】
請求項１のスロット式ＣＤ−ＲＷドライブ機構において、当該トレイのスロットの上部内壁に設けられた滑り防止装置で、当該滑り防止装置とスロットの下辺でCDを挟み込む作用を持つＣＤホルダー装置。
【請求項９】
請求項１のスロット式ＣＤ−ＲＷドライブ機構において、当該トレイのスロットの上部内壁に設けられた弾性体で、当該弾性体とスロットの下辺でＣＤを挟み込む作用を持つＣＤホルダー装置。
【請求項１０】
請求項１のスロット式ＣＤ−ＲＷドライブ機構において、当該トレイのスロットの上部内壁に凹部が設けられ、当該凹部内において弾性ユニット、スティールボールの順に設置し、当該スティールボールとスロットの下辺でＣＤを挟み込む作用を持つＣＤホルダー装置。
【請求項１１】
請求項１のスロット式ＣＤ−ＲＷドライブ機構において、モーター、歯車セット、本体内に設けられたセンサーを含み、当該センサーは当該モーターと電気的に接続されており、当該歯車セットはスプロケットと突出部のある従動歯車を持ち、当該スプロケットがチェーンを巻き取り、当該チェーンの一端は当該トレイに固定され、トレイと本体の間隙にはテンションスプリングで連接されており、当該センサーが初めて既述の突出部を感知したとき、モーターを作動させて従動歯車を回転させ、チェーンを引いて当該トレイを移動させる。当該センサーが二回目に既述の突出部を感知したときは、モーターを停止させるような駆動装置。
【請求項１２】
請求項１１のスロット式ＣＤ−ＲＷドライブ機構において、当該トレイのスロットの上部内壁に設けられた滑り防止装置で、当該滑り防止装置とスロットの下辺でＣＤを挟み込む作用を持つＣＤホルダー装置。
【請求項１３】
請求項１１のスロット式ＣＤ−ＲＷドライブ機構において、当該トレイのスロットの上部内壁に設けられた弾性体で、当該弾性体とスロットの下辺でＣＤを挟み込む作用を持つＣＤホルダー装置。
【請求項１４】
請求項１１のスロット式ＣＤ−ＲＷドライブ機構において、当該トレイのスロットの上部内壁に凹部が設けられ、当該凹部内において弾性ユニット、スティールボールの順に設置し、当該スティールボールとスロットの下辺でＣＤを挟み込む作用を持つＣＤホルダー装置。
【考案の詳細な説明】
【技術分野】
【０００１】
本考案はＣＤ−ＲＷドライブ機構、特にスロット式により本体内部に挿入されたＣＤの読み取り・書込み機構の設計に関するものである。
【背景技術】
【０００２】
現在のＣＤ−ＲＷドライブは、トレイ式とスロット式の二種類がある。
【０００３】
トレイ式ＣＤ−ＲＷドライブ機構は、内部に設けられたトレイが操作により本体外に滑り出し、使用者がＣＤをトレイの上に安置した後、ボタン制御または直接押し入れの方式によりトレイは本体にスライドインし、本体内の押え装置がＣＤをトレイから乖離させて駆動回転させ、ＣＤ−ＲＷ装置がデータの読み取り・書込み作業を行うものである。この種のトレイ式ＣＤ−ＲＷドライブは構造も簡単であり、価格も安価である。しかし、トレイが滑り出した後は空中に浮いたような状態であり、支え応力が弱く、使用者が不注意でトレイに打撃を加えた場合には容易にトレイの断裂をまねくのが欠点であった。
【０００４】
スロット式ＣＤ−ＲＷドライブ機構は、いわばトレイを具備しない設計であり、内部に複雑な機構を設け、ＣＤが本体の挿入口から挿入された後、センサーがＣＤの位置を感じ取り、複雑な連接機構を起動させてＣＤを捉えて、本体内の定位置に送り込み、押え装置によってＣＤを制御してデータの読み取り・書込み作業を行う、というのが主なメカニズムである。この種のトレイを具備しないスロット式ＣＤ−ＲＷドライブ機構にはトレイ断裂の問題がないとはいえ、機構が複雑で製造コストが高く、販売価格も高くなる。
【考案の開示】
【考案が解決しようとする課題】
【０００５】
前述のトレイ式ＣＤ−ＲＷドライブは構造も簡単でコストも低いが、外部に露出したトレイが外的要因により打撃を受け断裂されやすい。従来式のスロット式ＣＤ−ＲＷドライブ機構は、トレイが外部に露出し打撃されることはないが、構造も複雑でコストが高いという欠点がある。本考案は、製造コストが従来のトレイ式ＣＤ−ＲＷドライブと大差なく、しかもスロット式ＣＤ−ＲＷドライブ機構の長所を具備した設計を提供するものである。
【０００６】
従来のトレイ式ＣＤ−ＲＷ装置のトレイの長さを縮小し、ＣＤがトレイに安置されるに当たり、トレイを本体内から外部に露出させないのが本考案における主な特徴である。ただし、トレイを外部に露出させないために、本考案ではトレイにホルダーを設けて、ＣＤが本体内に挿入されてから当該ホルダーで固定し、手で押すことによりトレイをごくわずかな距離だけ移動させて、センサーに感知させ、駆動装置を使ってＣＤを載せたトレイを本体内部に運び込んだ後、ストッパー装置を使ってＣＤを所定の位置に留める。トレイは駆動装置によりそのまま本体の奥の方へと移動し、トレイと分離された後、ＣＤは押え装置によって位置を固定され、さらにＣＤを駆動回転させて、本体内のＣＤ−ＲＷ装置を使って読み取り・書込み作業を行うものである。
【０００７】
本考案のもう一つの特徴として、トレイにスロットを設け、既に述べたホルダーを当該スロットの上面内壁に設けて、ＣＤが当該スロットに挿入されるに当たり、当該ホルダーとスロットの下辺をもってＣＤを挟み込む点が挙げられる。
【０００８】
本考案における駆動装置は、モーターにより歯車セットを駆動させ、歯車セット中の従動歯車をトレイ部分の撓み性ラックギアに噛合わせ、トレイを往復運動させるものである。このほか、上述の従動歯車またはトレイ底部には突出部が設けられ、本体にはセンサーがあり、当該センサーが初めて既述の突出部を感知したとき、モーターを作動させて従動歯車を回転させ、ラックギア経由でトレイを移動させ、当該センサーが二回目に既述の突出部を感知したとき、モーターは停止する。
【０００９】
トレイがＣＤを押え装置のある定位置まで運び、後続の押え作業にむけてホルダーにＣＤを開放させるために、本考案においては、既述の従動歯車上に第一ポストと第二ポストを設け、ラックギアの末端に突起部を設けて、従動歯車がラックギアと噛合い回転を始める以前において、当該第一ポストが当該突起部を押すに当たり既述のトレイは定位置にまで入り込み、当該第二ポストが当該突起部を押すに当たりトレイをして定位置から離れさせる。
【００１０】
限られたＣＤ−ＲＷ装置内の空間に前述の構造を収納するために、本考案は撓み性材料製のラックギアを採用し、本体に湾曲した形状のガイドレールを設置して、トレイがＣＤ挿入方向に移動中に、ラックギアをガイドレールに沿って移動させて湾曲させる。
【００１１】
本考案においてＣＤを固定するホルダーは、適切な摩擦係数を有する材料、または弾性物質、またはスプリングが結合されたスティールボールが望ましい。
【００１２】
本考案における駆動装置のもう一つの実施例は、既述の従動歯車上にスプロケットを設置し、当該スプロケットでチェーンを巻き取り、当該チェーンの一端はトレイに固定して、トレイと本体の間をテンションスプリングで連接し、モーターで歯車セットを駆動させチェーンをスプロケットに巻き取らせて、テンションスプリングを伸張させると同時に、チェーンにトレイをＣＤ挿入方向に移動させ、モーターが反対方向に回転するに当たり、テンションスプリングの戻る力を利用してトレイを本体の奥の方向へと引き戻す。
【００１３】
前述の本考案の構造により、トレイが往復移動をする当たり、その両端が本体の範囲内を飛び出すことがなく、しかもトレイ上にはホルダーが設けられていることからＣＤがＣＤ−ＲＷ装置に挿入されてからはホルダーによって固定され、トレイに乗って本体深部のCD-RW ドライブ装置に送られるので、全体からすると従来のスロット式ＣＤ−ＲＷドライブ機構における使用効果を具備しているが、本考案における構造は旧来のトレイ式ＣＤ−ＲＷドライブ機構に改良を加えたものである。構造も従来のスロット式ＣＤ−ＲＷドライブ機構に較べて相当に簡潔であり、製造コストも大幅に押えられ、大いに市場競争力を有すると思われる。
【課題を解決するための手段】
【００１４】
請求項１の考案は、本体上に設けられたトレイ装置、駆動装置、ＣＤ−ＲＷ装置、押え装置を含み、当該駆動装置が当該トレイ装置を駆動させ当該本体のＣＤ挿入口方向まで往復移動させ、当該トレイ装置が当該本体内の定位置まで駆動された後、当該押え装置がトレイ装置上のＣＤ中心部を押えて固定し、ＣＤを回転させて、当該ＣＤ−ＲＷ装置により読み取り・書込み作業を行うが、そのうち、当該トレイ装置にはトレイが具備される。当該トレイには既述の挿入口の方向における一端にスロットが設けられ、当該スロット内にはＣＤホルダーがあり、本体の側面にはＣＤが本体深部へと送られるのを留めるストッパー装置があり、当該トレイ装置が当該本体内において、往復移動するに当たり、本体内部の範囲を超えないスロット式ＣＤ−ＲＷドライブ機構としている。
請求項２の考案は、請求項１のスロット式ＣＤ−ＲＷドライブ機構において、モーター、歯車セット、当該トレイと連接されたラックギア、本体内に設けられたセンサーを含み、当該センサーは当該モーターと電気的に接続されており、当該歯車セットは突出部のある従動歯車を持ち、当該従動歯車が当該ラックギアと噛合い、当該センサーが初めて既述の突出部を感知したとき、モーターを作動させて従動歯車を回転させ、ラックギア経由で当該トレイを移動させ、当該センサーが二回目に突出部を感知したとき、モーターを停止させるような駆動装置を特徴とするスロット式ＣＤ−ＲＷドライブ機構としている。
請求項３の考案は、請求項１のスロット式ＣＤ−ＲＷドライブ機構において、モーター、歯車セット、当該トレイと連接されたラックギア、本体内に設けられたセンサーを含み、当該センサーは当該モーターと電気的に接続されており、当該歯車セットは従動歯車を持ち、当該従動歯車が当該ラックギアと噛合い、当該トレイには二ヶ所に突出部を持ち、当該センサーが第一の突出部を感知したとき、モーターを作動させて従動歯車を回転させ、ラックギア経由で当該トレイを移動させる。当該センサーが第二の突出部を感知したときは、モーターを停止させるような駆動装置を特徴とするスロット式ＣＤ−ＲＷドライブ機構としている。
請求項４の考案は、請求項２のスロット式ＣＤ−ＲＷドライブ機構において、末端に突起を持つ当該ラックギアと、当該従動歯車上に第一ポストと第二ポストを持ち、当該従動歯車が回転しているがラックギアと噛合っていない時、当該第一ポストが当該突起を押して既述のトレイを定位置までプッシュインし、当該第二ポストが当該突起を押して既述のトレイを定位置から送り出す当該従動歯車を特徴とするスロット式ＣＤ−ＲＷドライブ機構としている。
請求項５の考案は、請求項３のスロット式ＣＤ−ＲＷドライブ機構において、末端に突起を持つ当該ラックギアと、当該従動歯車上に第一ポストと第二ポストを持ち、当該従動歯車が回転しているがラックギアと噛合っていない時、当該第一ポストが当該突起を押して、既述のトレイを定位置までプッシュインし、当該第二ポストが当該突起を押して、既述のトレイを定位置から送り出す当該従動歯車を特徴とするスロット式ＣＤ−ＲＷドライブ機構としている。
請求項６の考案は、請求項１のスロット式ＣＤ−ＲＷドライブ機構において、撓み性を持つラックギアと、本体内にあって当該撓み性ラックギアをガイドする湾曲ガイドレールとしている。
請求項７の考案は、請求項４において既述されたスロット式ＣＤ−ＲＷドライブ機構において、撓み性を持つラックギアと、本体内にあって当該撓み性ラックギアをガイドする湾曲ガイドレールを特徴とするスロット式ＣＤ−ＲＷドライブ機構としている。
請求項８の考案は、請求項１のスロット式ＣＤ−ＲＷドライブ機構において、当該トレイのスロットの上部内壁に設けられた滑り防止装置で、当該滑り防止装置とスロットの下辺でCDを挟み込む作用を持つＣＤホルダー装置を特徴とするスロット式ＣＤ−ＲＷドライブ機構としている。
請求項９の考案は、請求項１のスロット式ＣＤ−ＲＷドライブ機構において、当該トレイのスロットの上部内壁に設けられた弾性体で、当該弾性体とスロットの下辺でＣＤを挟み込む作用を持つＣＤホルダー装置を特徴とするとスロット式ＣＤ−ＲＷドライブ機構としている。
請求項１０の考案は、請求項１のスロット式ＣＤ−ＲＷドライブ機構において、当該トレイのスロットの上部内壁に凹部が設けられ、当該凹部内において弾性ユニット、スティールボールの順に設置し、当該スティールボールとスロットの下辺でＣＤを挟み込む作用を持つＣＤホルダー装置を特徴とするスロット式ＣＤ−ＲＷドライブ機構
としている。
請求項１１の考案は、請求項１のスロット式ＣＤ−ＲＷドライブ機構において、モーター、歯車セット、本体内に設けられたセンサーを含み、当該センサーは当該モーターと電気的に接続されており、当該歯車セットはスプロケットと突出部のある従動歯車を持ち、当該スプロケットがチェーンを巻き取り、当該チェーンの一端は当該トレイに固定され、トレイと本体の間隙にはテンションスプリングで連接されており、当該センサーが初めて既述の突出部を感知したとき、モーターを作動させて従動歯車を回転させ、チェーンを引いて当該トレイを移動させる。当該センサーが二回目に既述の突出部を感知したときは、モーターを停止させるような駆動装置を特徴とするスロット式ＣＤ−ＲＷドライブ機構としている。
請求項１２の考案は、請求項１１のスロット式ＣＤ−ＲＷドライブ機構において、当該トレイのスロットの上部内壁に設けられた滑り防止装置で、当該滑り防止装置とスロットの下辺でＣＤを挟み込む作用を持つＣＤホルダー装置を特徴とするスロット式ＣＤ−ＲＷドライブ機構としている。
請求項１３の考案は、請求項１１のスロット式ＣＤ−ＲＷドライブ機構において、当該トレイのスロットの上部内壁に設けられた弾性体で、当該弾性体とスロットの下辺でＣＤを挟み込む作用を持つＣＤホルダー装置を特徴とするスロット式ＣＤ−ＲＷドライブ機構としている。
請求項１４の考案は、請求項１１のスロット式ＣＤ−ＲＷドライブ機構において、当該トレイのスロットの上部内壁に凹部が設けられ、当該凹部内において弾性ユニット、スティールボールの順に設置し、当該スティールボールとスロットの下辺でＣＤを挟み込む作用を持つＣＤホルダー装置を特徴とするスロット式ＣＤ−ＲＷドライブ機構としている。
【考案の効果】
【００１５】
前述の本考案の構造により、トレイが往復移動をする当たり、その両端が本体の範囲内を飛び出すことがなく、しかもトレイ上にはホルダーが設けられていることからＣＤがＣＤ−ＲＷ装置に挿入されてからはホルダーによって固定され、トレイに乗って本体深部のCD-RW ドライブ装置に送られるので、全体からすると従来のスロット式ＣＤ−ＲＷドライブ機構における使用効果を具備しているが、本考案における構造は旧来のトレイ式ＣＤ−ＲＷドライブ機構に改良を加えたものであり、構造も従来のスロット式ＣＤ−ＲＷドライブ機構に較べて相当に簡潔であり、製造コストも大幅に押えられ、大いに市場競争力を有すると思われる。
【考案を実施するための最良の形態】
【００１６】
以下、図面とユニットコード番号と相対させながら本考案の実施形態に関して詳細な説明を試みたい。この技術分野に通じた人士であれば本説明を判読後、実施に移せるものと思われる。
【００１７】
まず第１図と第２図を参照されたい。本考案の提供するスロット式ＣＤ−ＲＷドライブ機構には、本体１内に内蔵されたトレイ装置２、駆動装置３、ＣＤ−ＲＷ装置４、押え装置５が含まれる。
【００１８】
既述のトレイ装置２はトレイ２１を具備し、当該トレイ２１にはＣＤ挿入口１０に面する一端にスロット２１１があり、当該スロット２１１内にはＣＤホルダーが設けられ、本体１の両側における適切な位置にＣＤが本体内部へと移動するのを阻止するストッパー装置11がある。既述のホルダーにはいくつかの実施例があるが、たとえば第１図と第２図の場合のように、トレイ２１におけるスロット２１１の上面内壁に直接接着されたプレート状の滑り防止装置２１２であったり、または第６図の場合のように、スロット２１１の上面内壁に設けられた弾性突起体２１３であったり、または第７図の場合のように、スロット２１１の上面内壁に適切な深さの凹部を設け、当該凹部において弾性ユニット２１４、スティールボール２１５の順に取り付け、弾性ユニット２１４経由でスティールボール２１５に作用させスティールボール２１５をトレイ２１の上部内壁に突出させるものがある。
【００１９】
既述の駆動装置３は、本体１内に設けられたモーター３１、歯車セット３２、当該トレイ２１側面に連接されたラックギア２２、本体１上に設置されたセンサー３４を含み、当該センサー３４はモーター３１と電気的に接続されおり、；既述の歯車セット３２には下方に突出部３３３を持つ従動歯車３３が含まれ、従動歯車３３が回転中、当該センサー３４が初めて記述の突出部３３３を感知したとき、モーター３１を作動させて従動歯車３３を回転させ、ラックギア２２に乗せてトレイ２１を移動させ、当該センサー３４が二回目に突出部３３３を感知したときには、モーターを停止させるものが典型的実施例である。限られた本体空間に前述の各装置を収納するために、本考案においては本体１内の側面に湾曲した形状のガイドレール12を設置し、撓み性材料製のラックギアを採用するのが望ましく、モーター３１作動時に、従動歯車３３を経てギアラック２２を駆動させてトレイ２１を移動させ、ラックギア２２が挿入口１０の方向に移動するに当たり、湾曲したガイドレール１２に導かれ、それに沿うようにガイドレール１２の中に収納される。既述の突出部３３３はトレイ２１の下方における異なる二ヶ所（図中未表示）に設けて、既述のセンサー３４に感知させて、モーター３１の作動・停止を制御する方法も考えられる。
【００２０】
本考案では本体１内部の異なる位置に押え装置５とＣＤ−ＲＷ装置４をそれぞれ配置し、既述の押え装置５はＣＤを乗せる回転盤５１を具備しており、ＣＤ６がトレイ２１により押え装置５の位置まで送られるに当たり、押え装置５をもってＣＤ６を回転盤51上に押えつけ、回転盤51の駆動によりＣＤ６を回転させた後、ＣＤ−ＲＷ装置にＣＤ６のデータを読み取らせる、またはディスク上にデータを書き込む。ＣＤ６が押え装置５の位置まで送られてからトレイ２１と分離させるために、本考案はさらに従動歯車３３上面の異なる二ヶ所にそれぞれ第一ポスト３３１と第二ポスト３３２を設け、並びにラックギア２２の末端に突起２２１を設け、従動歯車３３が回転しているがラックギア２２とまだ噛合っていないときに、第一ポスト３３１が突起２２１を押し込むことによりトレイ２１を押え装置５の定位置まで送り込み、第二ポスト３３２が突起２２１を押し出すことによりトレイ２１を定位置まで送り出す。
【００２１】
本考案は駆動装置３を使ってトレイ２１を本体１の範囲内において往復移動させるものであり、トレイ21が外部に露出することはない。すなわち、ＣＤ６を本体１の正面にある挿入口から挿入後、さらに進んでＣＤ６をトレイ２１のスロット２１１に挿入し、既述の滑り防止装置２１２または弾性体２１３またはスティールボール２１４とスロット２１１の下面とでＣＤ６を挟み込み（第３図と第４図に示されたとおり）、その後押ボタンを押すか、またはＣＤ６を挿入口にプッシュインするに当たり、従動歯車３３またはトレイ２１を動かし、センサー３４が従動歯車３３またはトレイ２１下面の突出部３３３を感知するやモーター３１を作動させる。歯車セット３２および従動歯車３３経由でラックギア２２を駆動させてトレイ２１を本体１深部にある押え装置５の位置まで移動させるが（第５図と第６図に示されたとおり）、このとき、ＣＤ６両側はストッパー装置１１の作用を受けて押え装置５の位置に留まり、従動歯車３３は回転を続け、やがて第一ポスト３３１が突起２２１を押しラックギア２２を従動歯車３３との噛合いからはずし、同時にトレイ２１は本体１深部に向かって移動し続けるので、トレイ２１とＣＤ６はここで乖離し（第７図と第８図に示されたとおり）、続いて押え装置５がＣＤ６を押えてＣＤを回転させ（第９図に示されたとおり）、ＣＤ−ＲＷ装置４がＣＤ６のデータを読み取り、またはデータ書込みを行うのが、本考案の操作方式である。ＣＤ６を取り出すに当たり、押ボタンを押してモーターを逆回転させ、歯車セット経由で従動歯車３３を反転させることにより、第二ポスト３３２が突起２２１を押し、ギアラック２２を再び従動歯車３３と噛み合わせた後、従動歯車３３に駆動されたラックギア２２がトレイ２１を押え装置5 の位置まで戻して、ＣＤ６をトレイ２１のスロットに挿入させて滑り防止装置２１２ＣＤ６を挟み、ＣＤを挿入口外に送り出す。
【００２２】
第１２図は本考案における別の実施例だが、駆動装置の相違が前述の実施例との差異である。第１２図に示された実施例において、前述のモーターと歯車セットが本体１内において異なる位置に設けられ、ラックギアも用いていないが、歯車セットの従動歯車３３上にはスプロケット３５が設けられ、当該スプロケット３５がチェーン３６を巻き取り、チェーン３６の一端はトレイ２１に固定されており、トレイ２１の最深部と本体１最深部との間隙にはテンションスプリングが連接されており、チェーン３６を引くことによりトレイ２１を挿入口１０の方向へ移動させるが（第１３図に示されたとおり）、この時テンションスプリング３７は引きの作用を受けて、張力が備蓄されており、逆の操作に当たり、テンションスプリング３７が戻る力を利用して、トレイ２１を定位置に戻す。その他の構造や作動方式は前述された第一実施例と共通しており、ここでは触れない。
【００２３】
以上に述べたものは本考案を説明する上で、典型的な実施例であり、本考案に対する形式上の制限を企図するものではなく、よって、同等考案発想の原点のもとになされた本考案に関するすべての修正や変更は、本考案が意図する保護範囲内に含まれている。
【図面の簡単な説明】
【００２４】
【図１】本考案ＣＤ−ＲＷドライブ機構の平面断面図である。
【図２】第１図の側面断面図である。
【図３】ＣＤを本考案におけるトレイのスロットに挿入し、ホルダーに固定された状態における平面断面図である。
【図４】第３図の側面断面図である。
【図５】駆動装置がトレイとＣＤをＣＤ−ＲＷ装置まで送り込んだ状態における平面断面図である。
【図６】第５図の側面断面図である。
【図７】駆動装置がトレイをＣＤ−ＲＷ装置の最深部まで送り込んだが、ＣＤはストッパー装置に阻まれトレイと分離した状態における平面断面図である。
【図８】第７図の側面断面図である。
【図９】本考案における押え装置がＣＤを押え、ＣＤ−ＲＷ装置を作動させている状態における側面断面図である。
【図１０】本考案におけるホルダーの第二実施例、局部側面断面図である。
【図１１】本考案におけるホルダーの第三実施例、局部側面断面図である。
【図１２】本考案ＣＤ−ＲＷドライブ機構、もう一つの実施例の平面断面図である。
【図１３】第１２図における平面動作図である。
【符号の説明】
【００２５】
１  本体
１０  挿入口
１１  ストッパー装置
１２  ガイドレール
２  トレイ装置
２１  トレイ
２１１  スロット
２１２  滑り防止装置
２１３  弾性体
２１４  弾性ユニット
２１５  スティールボール
２２  ラックギア
２２１  突起
３  駆動装置
３１  モーター
３２  歯車セット
３３  従動歯車
３３１  第一ポスト
３３２  第二ポスト
３３３  突出部
３４  センサー
３５  スプロケット
３６  チェーン
３７  テンションスプリング
４  ＣＤ−ＲＷ装置
５  押え装置
５１  ＣＤ回転盤
６  ＣＤ
【図１】
0003119984.tif 000003
【図２】
0003119984.tif 000004
【図３】
0003119984.tif 000005
【図４】
0003119984.tif 000006
【図５】
0003119984.tif 000007
【図６】
0003119984.tif 000008
【図７】
0003119984.tif 000009
【図８】
0003119984.tif 000010
【図９】
0003119984.tif 000011
【図１０】
0003119984.tif 000012
【図１１】
0003119984.tif 000013
【図１２】
0003119984.tif 000014
【図１３】
0003119984.tif 000015
【手続補正書】
【提出日】平成18年1月18日(2006.1.18)
【手続補正１】
【補正対象書類名】実用新案登録請求の範囲
【補正対象項目名】全文
【補正方法】変更
【補正の内容】
【実用新案登録請求の範囲】
【請求項１】
本体上に設けられたトレイ装置、駆動装置、ＣＤ−ＲＷ装置、押え装置を含み、当該駆動装置が当該トレイ装置を駆動させ、当該本体のＣＤ挿入口方向まで往復移動させ、当該トレイ装置が当該本体内の定位置まで駆動された後、当該押え装置がトレイ装置上のＣＤ中心部を押えて固定し、ＣＤを回転させて、当該ＣＤ−ＲＷ装置により、読み取り・書込み作業を行うが、そのうち、当該トレイ装置にはトレイが具備され、当該トレイには既述の挿入口の方向における一端にスロットが設けられる、当該スロット内にはＣＤホルダーがあり、本体の側面にはＣＤが本体深部へと送られるのを留めるストッパー装置があり、当該トレイ装置が当該本体内において往復移動するに当たり、本体内部の範囲を超えないスロット式ＣＤ−ＲＷドライブ機構。
【請求項２】
請求項１のスロット式ＣＤ−ＲＷドライブ機構において、モーター、歯車セット、当該トレイと連接されたラックギア、本体内に設けられたセンサーを含み、当該センサーは当該モーターと電気的に接続されており、当該歯車セットは突出部のある従動歯車を持ち、当該従動歯車が当該ラックギアと噛合い、当該センサーが初めて既述の突出部を感知したとき、モーターを作動させて従動歯車を回転させ、ラックギア経由で当該トレイを移動させ、当該センサーが二回目に突出部を感知したときは、モーターを停止させるような駆動装置。
【請求項３】
請求項１のスロット式ＣＤ−ＲＷドライブ機構において、モーター、歯車セット、当該トレイと連接されたラックギア、本体内に設けられたセンサーを含み、当該センサーは当該モーターと電気的に接続されており、当該歯車セットは従動歯車を持ち、当該従動歯車が当該ラックギアと噛合い、当該トレイには二ヶ所に突出部を持ち、当該センサーが第一の突出部を感知したとき、モーターを作動させて従動歯車を回転させ、ラックギア経由で当該トレイを移動させる、当該センサーが第二の突出部を感知したとき、モーターを停止させるような駆動装置。
【請求項４】
請求項２のスロット式ＣＤ−ＲＷドライブ機構において、末端に突起を持つ当該ラックギアと、当該従動歯車上に第一ポストと第二ポストを持ち、当該従動歯車が回転しているがラックギアと噛合っていない時、当該第一ポストが当該突起を押して既述のトレイを定位置までプッシュインし、当該第二ポストが当該突起を押して既述のトレイを定位置から送り出す当該従動歯車。
【請求項５】
請求項３のスロット式ＣＤ−ＲＷドライブ機構において、末端に突起を持つ当該ラックギアと、当該従動歯車上に第一ポストと第二ポストを持ち、当該従動歯車が回転しているがラックギアと噛合っていない時、当該第一ポストが当該突起を押して、既述のトレイを定位置までプッシュインし、当該第二ポストが当該突起を押して、既述のトレイを定位置から送り出す当該従動歯車。
【請求項６】
請求項１のスロット式ＣＤ−ＲＷドライブ機構において、撓み性を持つラックギアと、本体内にあって当該撓み性ラックギアをガイドする湾曲ガイドレール。
【請求項７】
請求項４のスロット式ＣＤ−ＲＷドライブ機構において、撓み性を持つラックギアと、本体内にあって当該撓み性ラックギアをガイドする湾曲ガイドレール。
【請求項８】
請求項１のスロット式ＣＤ−ＲＷドライブ機構において、当該トレイのスロットの上部内壁に設けられた滑り防止装置で、当該滑り防止装置とスロットの下辺でCDを挟み込む作用を持つＣＤホルダー装置。
【請求項９】
請求項１のスロット式ＣＤ−ＲＷドライブ機構において、当該トレイのスロットの上部内壁に設けられた弾性体で、当該弾性体とスロットの下辺でＣＤを挟み込む作用を持つＣＤホルダー装置。
【請求項１０】
請求項１のスロット式ＣＤ−ＲＷドライブ機構において、当該トレイのスロットの上部内壁に凹部が設けられ、当該凹部内において弾性ユニット、スティールボールの順に設置し、当該スティールボールとスロットの下辺でＣＤを挟み込む作用を持つＣＤホルダー装置。
【請求項１１】
請求項１のスロット式ＣＤ−ＲＷドライブ機構において、モーター、歯車セット、本体内に設けられたセンサーを含み、当該センサーは当該モーターと電気的に接続されており、当該歯車セットはスプロケットと突出部のある従動歯車を持ち、当該スプロケットがチェーンを巻き取り、当該チェーンの一端は当該トレイに固定され、トレイと本体の間隙にはテンションスプリングで連接されており、当該センサーが初めて既述の突出部を感知したとき、モーターを作動させて従動歯車を回転させ、チェーンを引いて当該トレイを移動させる、当該センサーが二回目に既述の突出部を感知したときは、モーターを停止させるような駆動装置。
【請求項１２】
請求項１１のスロット式ＣＤ−ＲＷドライブ機構において、当該トレイのスロットの上部内壁に設けられた滑り防止装置で、当該滑り防止装置とスロットの下辺でＣＤを挟み込む作用を持つＣＤホルダー装置。
【請求項１３】
請求項１１のスロット式ＣＤ−ＲＷドライブ機構において、当該トレイのスロットの上部内壁に設けられた弾性体で、当該弾性体とスロットの下辺でＣＤを挟み込む作用を持つＣＤホルダー装置。
【請求項１４】
請求項１１のスロット式ＣＤ−ＲＷドライブ機構において、当該トレイのスロットの上部内壁に凹部が設けられ、当該凹部内において弾性ユニット、スティールボールの順に設置し、当該スティールボールとスロットの下辺でＣＤを挟み込む作用を持つＣＤホルダー装置。
【手続補正２】
【補正対象書類名】明細書
【補正対象項目名】００１４
【補正方法】変更
【補正の内容】
【００１４】
請求項１の考案は、本体上に設けられたトレイ装置、駆動装置、ＣＤ−ＲＷ装置、押え装置を含み、当該駆動装置が当該トレイ装置を駆動させ当該本体のＣＤ挿入口方向まで往復移動させ、当該トレイ装置が当該本体内の定位置まで駆動された後、当該押え装置がトレイ装置上のＣＤ中心部を押えて固定し、ＣＤを回転させて、当該ＣＤ−ＲＷ装置により読み取り・書込み作業を行うが、そのうち、当該トレイ装置にはトレイが具備される、当該トレイには既述の挿入口の方向における一端にスロットが設けられ、当該スロット内にはＣＤホルダーがあり、本体の側面にはＣＤが本体深部へと送られるのを留めるストッパー装置があり、当該トレイ装置が当該本体内において、往復移動するに当たり、本体内部の範囲を超えないスロット式ＣＤ−ＲＷドライブ機構としている。
請求項２の考案は、請求項１のスロット式ＣＤ−ＲＷドライブ機構において、モーター、歯車セット、当該トレイと連接されたラックギア、本体内に設けられたセンサーを含み、当該センサーは当該モーターと電気的に接続されており、当該歯車セットは突出部のある従動歯車を持ち、当該従動歯車が当該ラックギアと噛合い、当該センサーが初めて既述の突出部を感知したとき、モーターを作動させて従動歯車を回転させ、ラックギア経由で当該トレイを移動させ、当該センサーが二回目に突出部を感知したとき、モーターを停止させるような駆動装置を特徴とするスロット式ＣＤ−ＲＷドライブ機構としている。
請求項３の考案は、請求項１のスロット式ＣＤ−ＲＷドライブ機構において、モーター、歯車セット、当該トレイと連接されたラックギア、本体内に設けられたセンサーを含み、当該センサーは当該モーターと電気的に接続されており、当該歯車セットは従動歯車を持ち、当該従動歯車が当該ラックギアと噛合い、当該トレイには二ヶ所に突出部を持ち、当該センサーが第一の突出部を感知したとき、モーターを作動させて従動歯車を回転させ、ラックギア経由で当該トレイを移動させる、当該センサーが第二の突出部を感知したときは、モーターを停止させるような駆動装置を特徴とするスロット式ＣＤ−ＲＷドライブ機構としている。
請求項４の考案は、請求項２のスロット式ＣＤ−ＲＷドライブ機構において、末端に突起を持つ当該ラックギアと、当該従動歯車上に第一ポストと第二ポストを持ち、当該従動歯車が回転しているがラックギアと噛合っていない時、当該第一ポストが当該突起を押して既述のトレイを定位置までプッシュインし、当該第二ポストが当該突起を押して既述のトレイを定位置から送り出す当該従動歯車を特徴とするスロット式ＣＤ−ＲＷドライブ機構としている。
請求項５の考案は、請求項３のスロット式ＣＤ−ＲＷドライブ機構において、末端に突起を持つ当該ラックギアと、当該従動歯車上に第一ポストと第二ポストを持ち、当該従動歯車が回転しているがラックギアと噛合っていない時、当該第一ポストが当該突起を押して、既述のトレイを定位置までプッシュインし、当該第二ポストが当該突起を押して、既述のトレイを定位置から送り出す当該従動歯車を特徴とするスロット式ＣＤ−ＲＷドライブ機構としている。
請求項６の考案は、請求項１のスロット式ＣＤ−ＲＷドライブ機構において、撓み性を持つラックギアと、本体内にあって当該撓み性ラックギアをガイドする湾曲ガイドレールとしている。
請求項７の考案は、請求項４において既述されたスロット式ＣＤ−ＲＷドライブ機構において、撓み性を持つラックギアと、本体内にあって当該撓み性ラックギアをガイドする湾曲ガイドレールを特徴とするスロット式ＣＤ−ＲＷドライブ機構としている。
請求項８の考案は、請求項１のスロット式ＣＤ−ＲＷドライブ機構において、当該トレイのスロットの上部内壁に設けられた滑り防止装置で、当該滑り防止装置とスロットの下辺でCDを挟み込む作用を持つＣＤホルダー装置を特徴とするスロット式ＣＤ−ＲＷドライブ機構としている。
請求項９の考案は、請求項１のスロット式ＣＤ−ＲＷドライブ機構において、当該トレイのスロットの上部内壁に設けられた弾性体で、当該弾性体とスロットの下辺でＣＤを挟み込む作用を持つＣＤホルダー装置を特徴とするとスロット式ＣＤ−ＲＷドライブ機構としている。
請求項１０の考案は、請求項１のスロット式ＣＤ−ＲＷドライブ機構において、当該トレイのスロットの上部内壁に凹部が設けられ、当該凹部内において弾性ユニット、スティールボールの順に設置し、当該スティールボールとスロットの下辺でＣＤを挟み込む作用を持つＣＤホルダー装置を特徴とするスロット式ＣＤ−ＲＷドライブ機構としている。
請求項１１の考案は、請求項１のスロット式ＣＤ−ＲＷドライブ機構において、モーター、歯車セット、本体内に設けられたセンサーを含み、当該センサーは当該モーターと電気的に接続されており、当該歯車セットはスプロケットと突出部のある従動歯車を持ち、当該スプロケットがチェーンを巻き取り、当該チェーンの一端は当該トレイに固定され、トレイと本体の間隙にはテンションスプリングで連接されており、当該センサーが初めて既述の突出部を感知したとき、モーターを作動させて従動歯車を回転させ、チェーンを引いて当該トレイを移動させる、当該センサーが二回目に既述の突出部を感知したときは、モーターを停止させるような駆動装置を特徴とするスロット式ＣＤ−ＲＷドライブ機構としている。
請求項１２の考案は、請求項１１のスロット式ＣＤ−ＲＷドライブ機構において、当該トレイのスロットの上部内壁に設けられた滑り防止装置で、当該滑り防止装置とスロットの下辺でＣＤを挟み込む作用を持つＣＤホルダー装置を特徴とするスロット式ＣＤ−ＲＷドライブ機構としている。
請求項１３の考案は、請求項１１のスロット式ＣＤ−ＲＷドライブ機構において、当該トレイのスロットの上部内壁に設けられた弾性体で、当該弾性体とスロットの下辺でＣＤを挟み込む作用を持つＣＤホルダー装置を特徴とするスロット式ＣＤ−ＲＷドライブ機構としている。
請求項１４の考案は、請求項１１のスロット式ＣＤ−ＲＷドライブ機構において、当該トレイのスロットの上部内壁に凹部が設けられ、当該凹部内において弾性ユニット、スティールボールの順に設置し、当該スティールボールとスロットの下辺でＣＤを挟み込む作用を持つＣＤホルダー装置を特徴とするスロット式ＣＤ−ＲＷドライブ機構としている。